(57)【特許請求の範囲】
【請求項１】
測距光を発しターゲット迄の距離を測定する距離計を備えた測量機に於いて、測距光と平行にガイドターゲットに向けてガイド用レーザ光を発する投影系と、該投影系のレーザ光発光源を駆動する駆動手段と、該駆動手段を介してレーザ光の発光状態を制御する制御手段とを備え、前記距離計により測定したターゲット迄の距離と設定すべき距離との間に偏差がある場合に、前記制御手段がレーザ光の発光状態を制御して偏差についての情報をターゲット側に伝達することを特徴とする測量機。
【請求項２】
ターゲット迄の距離と設定すべき距離との間に偏差がある場合に、偏差の大きさに応じてレーザ光を点滅させると共に時間的間隔を変化させる請求項１の測量機。
【請求項３】
ターゲットは投影系からのガイド用レーザ光が照射される位置が判別できるガイドターゲットと、距離を測定する為のプリズムとを具備する請求項１の測量機。
【請求項４】
ガイド用レーザ光にターゲットが位置合せできる様に、少なくとも左右の位置を指示するポイントガイド装置を備える請求項１の測量機。
【発明の詳細な説明】
【０００１】
【産業上の利用分野】
本発明は、測量作業に於いて既知点に対する与点を設定する場合に、与点の設定を容易に行える測量機に関するものである。
【０００２】
【従来の技術】
測量作業に於いて、既知点から所定の方向と距離に与点を設ける作業がある。一昔前迄は既知点に光学読取り式のセオドライトを据付け、方向を決定し、与点迄の距離を巻き尺等で計測していたが、現在では距離計測は光波距離計を、又経緯儀はデジタルセオドライトを使用して計測している。従来、与点を設定する作業は、以下の如く行われる。
【０００３】
３角点の基準点である既知点に、光波距離計を接続したセオドライト、又はデジタルセオドライトに光波距離計を内蔵したトータルステーションを設置し、次に概略の与点の位置に反射プリズムを設置する。通常、反射プリズムの付いたポールは助手が持って移動する場合が多い。既知点から与点側の反射プリズムを視準し、既知点に反射プリズムが近い位置にある場合には手招きによる合図で、又反射プリズムが遠い位置にある場合には無線器を使用し、与点側に指示を与える。斯かる指示は、前記反射プリズムが正確な与点の位置に設置される迄続けられる。
【０００４】
最近では、図８に示される様に着脱式の、或はトータルステーション１と一体型のポイントガイド２が使用されている。
【０００５】
該ポイントガイド２は、与点側から測量機の視準方向を確認する為に使用されるライトの一種である。該ポイントガイド２は測量機の視準方向を中心に左右に異なる色光３を視準方向に発しており、与点側の測量者がこの色光３を視準し、色の識別をすることで左右どちらに居るか、或は中心に居るかを判断することができる。
【０００６】
【発明が解決しようとする課題】
上記した従来の与点設定方法であると、以下の不具合がある。
【０００７】
先ず、前者の無線機を使用して与点側の作業者に指示を与えて前後左右に反射プリズムを移動させる方法では、概略的な指示は容易に行えるが、所定の与点に近付くにつれ、前後左右と指示事項が増え、指示が頻繁に行われることとなる。又、既知点側でプリズムの位置が適正かどうかの判断をしてから、与点側へ指示を送ることになるので遅れ気味の指示とならざるを得ない。この為、遅れ気味な指示と繁雑な指示が重なって、無線ではプリズムの位置が与点の位置に近付くにつれ合わせにくくなるという問題があった。
【０００８】
次に、後者のポイントガイドを具備した測量機では、左右の位置合わせについてはポイントガイドにより与点側から容易に確認できるが、然し前後の位置合わせについては依然として無線機による指示で行っており、従来の様に前後左右の位置合わせをする程ではなくとも繁雑で位置合わせが難しい、又指示が遅れるという問題があった。更に又、無線機を使用する場合は混線することがあり、指示が正確、確実に伝達されないという問題もあった。
【０００９】
本発明は斯かる実情に鑑み、被照射物の設定に於いて左右は勿論前後の位置合わせも容易に行える測量機を提供しようとするものである。
【００１０】
【課題を解決するための手段】
本発明は、測距光を発しターゲット迄の距離を測定する距離計を備えた測量機に於いて、測距光と平行にガイドターゲットに向けてガイド用レーザ光を発する投影系と、該投影系のレーザ光発光源を駆動する駆動手段と、該駆動手段を介してレーザ光の発光状態を制御する制御手段とを備え、前記距離計により測定したターゲット迄の距離と設定すべき距離との間に偏差がある場合に、前記制御手段がレーザ光の発光状態を制御して偏差についての情報をターゲット側に伝達する測量機に係り、又ターゲット迄の距離と設定すべき距離との間に偏差がある場合に、偏差の大きさに応じてレーザ光を点滅させると共に時間的間隔を変化させる測量機に係り、又ターゲットは投影系からのガイド用レーザ光が照射される位置が判別できるガイドターゲットと、距離を測定する為のプリズムとを具備する測量機に係り、更に又ガイド用レーザ光にターゲットが位置合せできる様に、少なくとも左右の位置を指示するポイントガイド装置を備える測量機に係るものである。
【００１１】
【作用】
距離計、又は距離計を備えた測距測角儀と被照射物との間で、設定距離と距離計により測定した測定距離との間に偏差がある場合に被照射物に向け照射するレーザ光の照射強度を変化させ、該レーザ光を情報伝達手段として被照射物に該被照射物の位置情報、或は指示を伝達する。
【００１２】
【実施例】
以下、図面を参照しつつ本発明の一実施例を説明する。
【００１３】
トータルステーション１の上端にレーザポイントガイド４を設ける。該レーザポイントガイド４は、前記トータルステーション１からの測距用レーザ光５の光軸と平行な光軸を有するガイド用レーザ光６を発する。
【００１４】
与点側に設置される被照射物即ちターゲット８は、前記測距用レーザ光５を反射する為のプリズム９とレーザポイントガイド４に対するガイドターゲット１０を有し、ガイドターゲット１０のターゲット中心と前記プリズム９との光学中心とは前記測距用レーザ光５とガイド用レーザ光６の光軸間距離Ｈだけ離れている。
【００１５】
前記レーザポイントガイド４の構成を図２により説明する。
【００１６】
レーザポイントガイド４はレーザ発光源１２、コリメータレンズ１３等から成るレーザ光投影系を有し、レーザ発光源１２からのレーザ光はコリメータレンズ１３により平行光とされ、ガイド用レーザ光６としてレーザポイントガイド４より射出される。前記レーザ発光源１２は電源、変調回路、増幅回路、スイッチング回路等を具備した駆動手段１４により駆動発光され、該駆動手段１４は制御手段１５により制御される。
【００１７】
該制御手段１５には与点迄の距離を操作部のテンキー（図示せず）等から設定入力が可能になっていると共に前記トータルステーション１からの測定距離データ信号が入力される様になっており、設定距離と測定距離との間の偏差を演算し、偏差の大きさに応じて前記駆動手段１４に駆動制御信号を入力して、駆動手段１４を介してレーザ発光源１２の点滅、レーザ出力の増減を制御する。
【００１８】
以下作動を説明する。
【００１９】
トータルステーション１を与点の方向に向けて設置する。駆動手段１４より前記レーザ発光源１２を駆動してガイド用レーザ光６を使用し、ターゲット８を概略の与点の位置に設置する。ガイド用レーザ光６の照射位置とガイドターゲット１０に記された視準線１６との関係から左右、上下方向の位置合わせが正確に行われる。又、前後方向の位置合わせは以下の如く行われる。
【００２０】
トータルステーション１は反射プリズムからの反射光により距離測定を行い、測定結果を前記制御手段１５に入力する。該制御手段１５は測定結果と設定距離とを比較演算して偏差値を求める。演算の結果偏差値が存在すると駆動手段１４を介してガイド用レーザ光６の点滅、又はレーザ光の照射強度を時間的に変化させる。偏差値が０即ち設定距離と測定距離が一致した場合は点滅を停止する。更に、偏差値の絶対値が大きい程点滅速度を速くする。而して、測量者が前記ターゲット８を設定距離に合致させる場合に、ガイド用レーザ光６の点滅状態を観察することで移動方向が適正であるかどうかを判断でき、与点側の測量者のみの判断でターゲット８を与点に正確に設定することができる。
【００２１】
図３はガイド用レーザ光６とガイドターゲット１０のターゲット中心とを合わせ易い様にガイド用レーザ光６をリング状光とした例を示している。
【００２２】
コリメータレンズ１３のターゲット８側にコリメータレンズ１３からのレーザ光をリング状にする絞り１７を設け、該絞り１７の更にターゲット８側にアポジゼーションフィルタ１８を設ける。而して、アポジゼーションフィルタを透過したガイド用レーザ光６は周辺の明度が高いリング状光となり、ガイド用レーザ光６の中心が視認し易くなり、ガイド用レーザ光６の中心とガイドターゲット１０のターゲット中心との位置合わせが容易になる。
【００２３】
図４で示す例は、ポイントガイド２を具備するトータルステーション１に更にレーザポイントガイド４を設け、前記ポイントガイド２から発せられる前記色光３の色分けを左右２分割だけでなく上下にも分割して４分割とし、それぞれを色分けしたものである。４半分に分割した色を赤３ａ、青３ｂ、緑３ｃ、黄３ｄとすると、色光３の色判断で色光３の中心を検出するのが容易となる。而して、色光３の色分け状態を見ることでレーザポイントガイドのレーザ光の位置の上下左右の位置が分かり、ターゲット８をレーザ光の位置に容易に合わせることができる。レーザ光の位置に合わせることは、トータルステーションに対する与点の上下左右の位置を合わせることと同様である。更に、トータルステーション１により距離の測定を行い、測定結果を前記レーザポイントガイド４に入力し、前述した様にガイド用レーザ光６の点滅を行わせることで前後の位置も合わせることができる。尚、ポイントガイド２からのガイド用レーザ光は色分けの他に、異なる点滅周期のレーザ光を区分分けして用いたものでもよい。
【００２４】
次に、トータルステーション１に対応するターゲット８について説明する。
【００２５】
図５に示すターゲット８は、ガイドターゲット１０を大きくし、ガイドターゲット１０に直接プリズム９を取付けたものであり、ガイドターゲット１０には視準線１６の他に、プリズム９を中心として放射状の図柄２０を施したものである。該図柄２０によりトータルステーション１よりプリズム９を視準する場合の位置合わせが容易になる。
【００２６】
図６、図７はターゲット８についての実施例を示す。
【００２７】
透明材、半透明材から成るガイドターゲット１０の背面及び前記視準線１６が示す中心に合致させて受光手段２１を取付け、ガイドターゲット１０の背面側には表示手段２３を設ける。該表示手段２３は表裏それぞれに表示部２２を有する。前記受光手段２１は前記ガイド用レーザ光６を受光した場合に、受光状態を表示手段２３に入力する。該表示手段２３はガイドターゲット１０の所要位置、例えば図中で示す様に上隅に設けられる。
【００２８】
該表示手段２３は受光手段２１の受光状態からトータルステーション１に対するターゲット８の位置を判別し、判別した結果を前記表示部２２に表示する。該表示は例えば、ターゲット８の移動させる方向を示す矢印を表示する等である。
【００２９】
更に、ガイド用レーザ光６を介して既知点側（トータルステーション１側）の情報を与点側に伝達することができる。即ち、ガイド用レーザ光６の点滅、照射強度の変化により情報を伝達することができる。前記制御手段１５は伝達すべき情報をガイド用レーザ光６の点滅により符号化し、前記表示手段２３は符号化された点滅信号を情報に変換して前記表示部２２に表示する。
【００３０】
更に、前記表示手段２３が表示部２２の代わりに又は表示部２２と併せて音声出力装置を有し、トータルステーション１側の作業者の音声を、前記制御手段１５によりガイド用レーザ光６の点滅信号に変換し、前記表示手段２３が光／音声変換器を具備し、再び音声に変換し、前記音声出力装置よりトータルステーション１側作業者の音声を出力させることができる。而して、トータルステーション１側からターゲット８側に直接指示することが可能となる。
【００３１】
尚、レーザポイントガイド４はユニットとして構成され、トータルステーション１に取付けられる構成でもよく、又トータルステーション１内部に一体的に組込まれてもよい。更に、図１、図４ではトータルステーション１からの距離データをケーブルを介してレーザポイントガイド４に入力する構成としてあるが、トータルステーション１に一体的に組込めば、ケーブルは省略できることは言う迄もない。更に、トータルステーション１と一体的に組込む場合はレーザポイントガイド４の光軸とトータルステーション１の視準軸とを同一とすることも可能であり、電動機を内蔵し、自動的に視準方向を変えることができるトータルステーション１では、ターゲット８側からのリモコン操作によりワンマン測量が可能であると共にワンマン測量を行う場合に表示部２２に表示されるトータルステーション１側の情報は作業者の測量作業に有用であり、作業性を著しく向上する。
【００３２】
更に、音声出力装置を具備している場合、ガイド用レーザ光６の点滅、又はレーザ光の照射強度を時間的に変化させることに併せて警告音を発する様にし、更に警告音の点滅の間隔、大小に変化させる間隔をガイド用レーザ光６同様に変化させてもよい。又、作業者の目の安全性を高める為、トータルステーションがプリズムからの反射光を受光していない時は、レーザポイントガイドの出力を低下させる様に構成してもよい。
【００３３】
【発明の効果】
以上述べた如く本発明によれば、無線機を使用することなく与点側で容易に前後左右の位置判断ができるので、与点設定が容易であり、作業性が向上する。
【図面の簡単な説明】
【図１】本発明の一実施例を示す概略図である。
【図２】該実施例に於けるレーザポイントガイドの構成図である。
【図３】レーザポイントガイドの他の例を示す構成図である。
【図４】他の実施例を示す概略図である。
【図５】本発明に於けるターゲットの一例を示す前面側からの斜視図である。
【図６】本発明に於けるターゲットの一例を示す前面側からの斜視図である。
【図７】本発明に於けるターゲットの一例を示す後面側からの斜視図である。
【図８】従来例を示す概略図である。
【符号の説明】
１      トータルステーション
２      ポイントガイド
４      レーザポイントガイド
５      測距用レーザ光
６      ガイド用レーザ光
８      ターゲット
９      プリズム
１０    ガイドターゲット
１２    レーザ発光源
１４    駆動手段
１５    制御手段
２１    受光手段
２２    表示部
２３    表示手段
【図１】
0003599805.tif 000002
【図２】
0003599805.tif 000003
【図３】
0003599805.tif 000004
【図４】
0003599805.tif 000005
【図５】
0003599805.tif 000006
【図６】
0003599805.tif 000007
【図７】
0003599805.tif 000008
【図８】
0003599805.tif 000009